(57)【特許請求の範囲】
【請求項１】
上面部と前記上面部とは異なる位置に配置された係合部とを有する金属製のフレームと、
前記フレームと係合するホルダと、
前記フレームと前記ホルダとの間に配置され、前記フレームの上面部により周辺部分を覆われる表示パネルと、
フロントケースとリアケースから構成され、前記フレームの上面部と前記表示パネルの表面と前記フロントケースの表面とが略同一面を構成するように、前記フレーム、前記ホルダ及び前記表示パネルを収納する筐体と、
を有することを特徴とする電子機器。
【請求項２】
前記フロントケースは、前記フレームの一部と接触して前記フレームが前記フロントケースから外れる方向に移動することを規制する係合部を有することを特徴とする請求項１に記載の電子機器。
【請求項３】
前記リアケースは、前記フレームの一部と接触して前記フレームが前記フロントケースから外れる方向に移動することを規制する係合部を有することを特徴とする請求項１に記載の電子機器。
【請求項４】
前記フロントケースと前記表示パネルの間に前記フレームが位置し、前記フロントケースの一部と前記表示パネルの一部と前記フレームの一部は同一面を構成することを特徴とする請求項１に記載の電子機器。
【請求項５】
前記フレームは、前記表示パネルの中央部を露出し、前記表示パネルの周囲を覆い、前記表示パネルは周囲が窪んでいることを特徴とする請求項１に記載の電子機器。
【請求項６】
前記表示パネルと前記ホルダとの間に配置され、前記ホルダに係合し、前記表示パネルを保持するモジュールと、
前記表示パネルと前記モジュールの間に配置された防塵部材と、
を更に有することを特徴とする請求項１に記載の電子機器。
【請求項７】
前記フロントケースは貫通孔を有し、
前記電子機器は、前記フロントケースの前記貫通孔を介して前記フロントケースを前記リアケースに固定する固定部材を更に有することを特徴とする請求項１に記載の電子機器。
【請求項８】
前記電子機器はレシーバーを更に有し、
前記フレームは、前記レシーバーを取り付ける取付部を有することを特徴とする請求項１に記載の電子機器。
【発明の詳細な説明】
【技術分野】
【０００１】
本発明は、一般には、電子機器に係り、特に、電子機器の表示部に関する。本発明は、例えば、移動式無線通信電話、パーソナルディジタルアシスタンツ、携帯型ゲーム機に好適である。
【背景技術】
【０００２】
近年、携帯電話の表示部には大画面化と薄型化が益々要求され、その一方で防塵性と強度も両立しなければならない。図１６（ａ）及び図１６（ｂ）は、従来の二種類の表示部１及び１Ａの構造を示す概略部分断面図である。図１６（ａ）及び図１６（ｂ）において、１０及び１０Ａは樹脂製のフロントケース、１２は液晶ディスプレイ（ＬＣＤ）パネル、１４は両面テープ、１６はパッキン、１７はＬＣＤモジュール、１８はホルダである。
【０００３】
フロントケース１０及び１０Ａは図示しない樹脂製のリアケースにネジ止めされる。ＬＣＤパネル１２は情報を表示する。パッキン１６は防塵機能を有する。ＬＣＤモジュール１７はＬＣＤパネル１２を保持する。ホルダ１８は、リアケースに取り付けられてＬＣＤモジュール１７を保持する樹脂又は板金製である。
【０００４】
その他の従来技術としては、特許文献１乃至４がある。
【特許文献１】特開平０５−２０６９２３号公報
【特許文献２】特開２００６−８４９６９号公報
【特許文献３】特開２００２−２７０５６号公報
【特許文献４】特開２００１−１７５６０８号公報
【発明の開示】
【発明が解決しようとする課題】
【０００５】
表示部１Ａは、フロントケース１０Ａの保持部１１Ａがパッキン１６の上に張り出していないので、フロントケース１０の保持部１１がパッキン１６の上に張り出している表示部１よりも薄型化を図ることができる。しかし、表示部１及び１Ａは、共に、フロントケース１０及び１０ＡにＬＣＤパネル１２を収納する収納高さＨ及びＨＡを確保する必要があり、更なる薄型化には不向きである。また、表示部１及び１Ａは、共に、ＬＣＤパネル１２をＬＣＤモジュール１７側の面から両面テープ１４で引っ張る構造であり、外部衝撃を受けた時にＬＣＤパネル１２が浮き上がり易く強度又は耐衝撃性も弱い。更に、表示部１Ａは、ＬＣＤパネル１２が温度変化時（例えば、温度サイクル試験時）にパッキン１６の反力を受けて浮き上がり易いため、強度も防塵性も弱い。かかる強度と防塵性の問題はＬＣＤパネル１２を大型にするとより顕著になる。
【０００６】
本発明は、薄型化と強度維持の両立を図ることができる電子機器を提供することを例示的な目的とする。
【課題を解決するための手段】
【０００７】
本発明の一側面としての電子機器は、上面部と前記上面部とは異なる位置に配置された係合部とを有する金属製のフレームと、前記フレームと係合するホルダと、前記フレームと前記ホルダとの間に配置され、前記フレームの上面部により周辺部分を覆われる表示パネルと、フロントケースとリアケースから構成され、前記フレームの上面部と前記表示パネルの表面と前記フロントケースの表面とが略同一面を構成するように、前記フレーム、前記ホルダ及び前記表示パネルを収納する筐体と、を有することを特徴とする。かかる電子機器は、金属製のフレーム及びホルダが係合し、その間に表示パネルを上下から挟み込んで固定しているので、表示パネルの浮き上がりを防止することができる。例えば、表示パネルの下にパッキンなどの防塵部材を設けてもその反力により表示パネルが浮き上がることはない。金属性のフレーム及びホルダは、樹脂よりも強度に優れ、また、樹脂成形で形成可能な最小の厚さよりも薄く形成することができるので薄型化を図ることができる。また、フレームの上面部と表示パネルの表面とフロントケースの表面とを略同一面とすることで、いずれかの部材が突出して外部部材と接触し、破損の原因となることを防止し、薄型化も図ることができる。更に、フロントケースに収納高さＨ又はＨＡを確保する必要がないので薄型化を図ることができる。
【０００８】
前記フロントケースやリアケースは、前記フレームの一部と接触して前記フレームが前記フロントケースから外れる方向に移動することを規制する係合部を有してもよい。これにより、外部衝撃でユニットがフロントケースから外れることを防止することができ、耐衝撃性を高めることができる。
【０００９】
前記フロントケースと前記表示パネルの間に前記フレームが位置し、前記フロントケースの一部と前記パネルの一部と前記フレームの一部は同一面を構成してもよい。同一面を構成することによって、いずれかの部材が突出して外部部材と接触し、破損の原因となることを防止し、薄型化も図ることができる。
【００１０】
前記フレームは、前記表示パネルの中央部を露出し、前記表示パネルの周囲を覆い、前記表示パネルは周囲が窪んでいてもよい。これにより、パネルの一部とフレームの一部は同一面を構成することができ、フレームが突出して外部部材と接触することを防止し、薄型化も図ることができる。
【００１１】
前記電子機器は、前記表示パネルと前記ホルダとの間に配置され、前記ホルダに係合し、前記表示パネルを保持するモジュールと、前記表示パネルと前記モジュールの間に配置された防塵部材と、を更に有してもよい。これにより、電子機器の防塵性を高めることができる。表示パネルとモジュールの間に防塵部材を配置しても金属製のフレームとホルダとの間に配置されるので表示パネルが防塵部材の反力で浮き上がることを防止することができる。
【００１２】
前記フロントケースは貫通孔を有し、前記電子機器は、前記フロントケースの前記貫通孔を介して前記フロントケースを前記リアケースに固定する固定部材を更に有してもよい。これにより、外部衝撃でユニットがフロントケースから外れることを防止することができ、耐衝撃性を高めることができる。
【００１３】
前記電子機器はスピーカーを更に有し、前記フレームは、前記レシーバーを取り付ける取付部を有してもよい。フレームにレシーバーを取り付ける機能を持たせて多機能化することによって小型化を図ることができる。
【００１４】
本発明の更なる目的又はその他の特徴は、以下、添付図面を参照して説明される好ましい実施例によって明らかにされるであろう。
【発明の効果】
【００１５】
本発明によれば、薄型化と強度維持の両立を図ることができる電子機器を提供することができる。
【発明を実施するための最良の形態】
【００１６】
以下、添付図面を参照して、本発明の電子機器の一例としての携帯電話について説明する。携帯電話は、移動式無線通信装置の一例で、移動式無線通信装置は、本実施例において、携帯電話、ＰＤＣ（パーソナル・ディジタル・セルラー）、ＰＨＳ（パーソナル・ハンディホン・システム）、その他の移動通信端末を総称する。
【００１７】
図１は、携帯電話１００が展開した状態の正面図である。図２は、図１に示す携帯電話１００の左側面図である。図３は、図１に示す携帯電話１００の右側面図である。図４は、図１に示す携帯電話１００の背面図である。図５は、携帯電話が折り畳まれた状態の平面図である。図６は、図５に示す携帯電話１００をＡ側から見た側面図である。図７は、図５に示す携帯電話１００をＢ側から見た側面図である。図８は、図５に示す携帯電話１００の斜視図である。図９は、図８に示す携帯電話１００の可動部１４０を回転した状態の斜視図である。
【００１８】
携帯電話１００は、固定部１１０とアーム１２０とがヒンジ部１３０によって折り畳み可能に結合される折り畳み式携帯電話であり、アーム１２０は固定部１１０に対して回転可能に構成される。ユーザは、携帯電話１００の不使用時に図５に示すようにアーム１２０を固定部１１０の上に折り畳み、携帯電話１００の使用時に折り畳まれたアーム１２０を回転することによって、図１乃至図４に示すように、アーム１２０を固定部１１０に対して展開することができる。
【００１９】
固定部１１０は、フロントケースとリアケースとを結合した筐体構造を有し、両ケースは、例えば、ＡＢＳ樹脂から射出成形によって構成され、ネジによって結合される。固定部１１０は、マルチキー１１１ａ、テンキー１１１ｂ、各種ボタン１１１ｃを有してユーザが通信情報を入力する入力部１１１、マイク１１２、スライド式イアホンキャップ１１３、図示しないバッテリ及びプリント基板、音量ボタン１１４、ミュージックキー１１５、マイクロＳＤスロット１１６、プッシュトークキー１１７、アンテナ１１８、指紋認証部１１９を含む。これらの部材は、例えば、本出願人によって販売されているＦ９０４ｉによって周知であるので、図示と詳しい説明は省略する。
【００２０】
アーム１２０は、下側に配置されたケース１２２と、ケース１２２を覆うカバー部材１２４とを有する。ケース１２２とカバー部材１２４との間に図示しない電子部品が収納されている。電子部品は、プリント基板、ケーブル、カメラ１２５、その他の電子部品を含む。プリント基板は、可動部１４０のディスプレイやスピーカーにケーブルを介して接続される。プリント基板は、ＬＣＤユニットに表示される情報、レシーバー１５０から出力される情報を処理すると共に、図示しないフレキシブルプリント基板（ＦＰＣ）を介して固定部１１０のプリント基板と交信する。ケース１２２は、例えば、ＡＢＳ樹脂から射出成形によって構成される。カバー部材１２４は、アルミニウム製のパネル、両面テープ、樹脂ケースの三層構造を有し、樹脂ケースはケース１２２にネジ止めされる。
【００２１】
ヒンジ部１３０は、アーム１２０が固定部１１０に対して折り畳み及び展開が可能となるように接続する。
【００２２】
可動部１４０はアーム１２０に対して、図８及び図９に示すように、回転可能に構成されている。回転機構は、例えば、本出願人によって販売されているＦ９０４ｉによって周知であるので、図示と詳しい説明は省略する。
【００２３】
図１０は、可動部１４０の斜視図である。図１１の左図は、可動部１４０の分解斜視図である。可動部１４０は、フロントケース１４２とリアケース１４４とを結合した筐体１４１を有し、両ケースは、例えば、ＡＢＳ樹脂から射出成形によって構成される。両ケースは、後述するように、係合すると共にネジ１４７によって結合される。
【００２４】
可動部１４０は、レシーバー１５０及びＬＣＤユニット１６０を含む。スピーカー１５０は通話相手の音声や音（音楽やアラーム）を出力する。図１１の左図に示すように、可動部１５０は筐体１４１にＬＣＤユニット１６０を収納する。より詳細には、リアケース１４４上に基板１４５、ＬＣＤユニット１６０、フロントケース１４２、ケースパッド１４６が取り付けられる。図１１の右下図は、図１１の左図の丸印で示すＬＣＤユニット１６０の部分拡大斜視図である。図１１の右上図は、図１１の左図の丸印で示すリアケース１４４の部分拡大斜視図である。
【００２５】
フロントケース１４２は、係合部１４２ａと、係合溝１４２ｂと、端部１４２ｃと、一対の貫通孔１４２ｄと、を有する。本実施例のフロントケース１４２は、従来のフロントケース１０及び１０Ａと異なり、ＬＣＤパネル１６２を保持していない。このため、フロントケース１４２に収納高さＨ又はＨＡを確保する必要がないので薄型化を図ることができる。
【００２６】
係合部１４２ａは、図１２を参照して後述するように、ＬＣＤユニット１６０のＬＣＤフレーム板金１７０の一部（係合部１７３）と接触することができる端部である。これにより、係合部１４２ａは、ＬＣＤフレーム板金１７０がフロントケース１４２から外れる方向（図１２における上方向）に移動することを規制する。ここで、図１２は、可動部１４０の部分拡大断面図である。
【００２７】
係合溝１４２ｂは、図１２に示すように、リアケース１４４の内側部１４４ａの内壁１４４ａ１の先端が挿入されて係合される。これによって、フロントケース１４２とリアケース１４４は係合する。端部１４２ｃは、リアケース１４４の外側部１４４ｂの端部１４４ｂ１に接触する。一対の貫通孔１４２ｄの各々にはネジ１４７が挿入される。
【００２８】
リアケース１４４は、図１２に示すように、内側部１４４ａと外側部１４４ｂからなる二層構造を有する。
【００２９】
内側部１４４ａは、リアケース１４４の内面を規定し、図１２に示す内壁１４４ａ１と、図１３に示す鈎部１４４ａ２とを有する。内壁１４４ａ１は、外側部１４４ｂの端部１４４ｂ１よりも突出し、フロントケース１４２の係合溝１４２ｂに挿入される。この結果、フロントケース１４２とリアケース１４４は係合すると共にフロントケース１４２が図１２に示す水平方向に移動することが規制される。鈎部１４４ａ２は、図１１の左図のリアケース１４４の丸印、図１１の右上図、及び、図１３に示すように、後述するＬＣＤユニット１６０のＬＣＤフレーム板金１７０の係合部１７４に係合する係合部である。これにより、鈎部１４４ａ２は、ＬＣＤフレーム板金１７０がフロントケース１４２から外れる方向（図１２における上方向）に移動することを規制する。鈎部１４４ａ２の数と配置は、後述するＬＣＤフレーム板金１７０の係合部１７４の数と配置に対応し、本実施例では、７個設けられ、図１１の左図の丸印に対応する位置に設けられる。ここで、図１３は、可動部１５０の部分拡大断面図である。
【００３０】
外側部１４４ｂは、リアケース１４４の外面を規定し、端部１４４ｂ１においてフロントケース１４２の端部１４２ｃと接触する。
【００３１】
基板１４５は、ＬＣＤユニット１６０とリアケース１４４との間に配置されるプリント基板であり、レシーバー１５０及びＬＣＤユニット１６０に接続される。基板１４５は、アーム１２０のプリント基板や固定部１１０のプリント基板に接続される。基板１４５は、レシーバー１５０に音データを供給すると共にＬＣＤユニット１６０に表示されるべき各種情報を供給する。
【００３２】
ケースパッド１４６はネジ１４７を覆い、それが露出することを防止する。ケースパッド１４６がネジ１４７を隠すことによって、ユーザがネジ１４７を取り外して可動部１４０を分解しようとする動機を除去する。
【００３３】
一対のネジ１４７は、フロントケース１４２の一対の貫通孔１４２ｄを貫通して貫通孔１４２ｄを介してフロントケース１４２をリアケース１４４に固定する固定部材である。これにより、外部衝撃でフロントケース１４２とリアケース１４４が分離してＬＣＤユニット１６０がフロントケース１４２から外れることを防止することができ、耐衝撃性を高めることができる。
【００３４】
図１４は、ＬＣＤユニット１６０の分解斜視図である。ＬＣＤユニット１６０は、ＬＣＤフレーム板金１７０と、ＬＣＤパネル１６２と、両面テープ１６６と、パッキン１６７と、ＬＣＤモジュール１６８と、ＬＣＤホルダ板金１８０と、を有する。
【００３５】
ＬＣＤフレーム板金１７０は、金属製のフレームであり、ＬＣＤホルダ板金１８０と協働してＬＣＤパネル１６２を上から押さえてその浮き上がりを防止すると共にＬＣＤパネル１６２が大画面になっても強度を維持する。また、本実施例のＬＣＤフレーム板金１７０は、筐体１４１からのＬＣＤユニット１６０の脱落を防止するために、フロントケース１４２及びリアケース１４４と係合する。また、ＬＣＤフレーム板金１７０は、ＬＣＤパネル１６２の中央部１６３を露出させる。ＬＣＤフレーム板金１７０は、天板部１７１と、側壁１７２と、係合部１７３、１７４及び１７５と、取付部１７６とを有する。
【００３６】
天板部１７１は中空の矩形形状を有し、図１２に示すように、ＬＣＤパネル１６２の表面に平行な水平方向に延びる。天板部１７１は、ＬＣＤパネル１６２の中央部１６３を露出し、ＬＣＤパネル１６２の周囲１６４を覆う。
【００３７】
側壁１７２は、図１２に示すように、天板部１７１から垂直下向きに折れ曲がる。側壁１７２の内側にはＬＣＤホルダ板金１８０の一部が位置する。
【００３８】
係合部１７３は、フロントケース１４２の係合部１４２ａに接触可能であり、フロントケース１４２の係合部１４２ａによって係合部１７３は、図１２に示す上方向、即ち、ＬＣＤユニット１６０がリアケース１４４から離れる方向に移動することが規制される。係合部１７３は、図１５の左図の丸印で囲む８つの位置に設けられる。ここで、図１５の左図は、ＬＣＤユニット１６０の斜視図である。図１５の右図は係合部１７３の拡大斜視図である。図１２及び図１５の右図に示すように、係合部１７３は、天板部１７１と平行に、即ち、ＬＣＤパネル１６２の表面に平行な水平方向に延びている。係合部１７３と１４２ａによって外部衝撃を受けてもＬＣＤパネル１６２が筐体１４１から浮いたり脱落したりすることはなくなる。係合部１７３は、側壁１７２の一部を切り取って折り曲げることによって形成される。
【００３９】
係合部１７４は、リアケース１４４の鈎部１４４ａ２と係合し、側壁１７２の一部を切り取ると共に側壁１７２の外側に屈曲させることによって形成される。リアケース１４４の鈎部１４２ａ２によって係合部１７４は、図１３に示す上方向、即ち、ＬＣＤユニット１６０がリアケース１４４から離れる方向に移動することが規制される。係合部１７４は、図１１の左図の丸印で囲む７つの位置に設けられる。係合部１７４と１４４ａ２によって外部衝撃を受けてもＬＣＤパネル１６２が筐体１４１から浮いたり脱落したりすることはなくなる。
【００４０】
係合部１７５は、図１５の右図に示すように、側壁１７２の係合部１７３を形成する穴の底面を含む。係合部１７５は、ＬＣＤホルダ板金１８０の係合部１８４と係合し、ＬＣＤフレーム板金１７０がＬＣＤホルダ板金１８０から分離することを防止する。
【００４１】
取付部１７６は、レシーバー１５０が取り付けられる部分である。ＬＣＤフレーム板金１７０にレシーバー１５０を取り付ける機能を持たせて多機能化することによって別部材を設けるよりも小型化を図ることができる。取付部１７６は天板１７７ａと一対の側板１７７ｂとを有する。天板１７７ａは、スピーカー１５０を露出するための貫通穴１７７ａ１を有する。各側板１７７ｂは、スピーカー１５０の一部が挿入されて係合される貫通孔１７７ｂ１を有する。
【００４２】
ＬＣＤパネル１６２は、ＬＣＤフレーム板金１６２とＬＣＤホルダ板金１６８との間に配置され、情報（送信情報、着信情報、アドレス帳情報、入力部１１１から入力された情報、各種機能情報など）を表示する表示パネルである。ＬＣＤパネル１６２は、中央部１６３と周囲１６４とを有し、周囲１６４が中央部１６３よりも窪んでいる。ＬＣＤパネル１６２は、中央部１６３において筐体１４１から露出する。
【００４３】
本実施例のＬＣＤパネル１６２は、従来のＬＣＤパネル１２と異なり、フロントケース１４２には支持されていない。このため、フロントケース１４２に収納高さＨ又はＨＡを設ける必要がないので薄型化を図ることができる。また、従来のＬＣＤパネル１２はフロントケース１０又は１０Ａの外部に配置され、外部衝撃を受けても破損しないように０．６乃至０．８ｍｍ程度の厚さが必要であったが、本実施例では、金属製のＬＣＤフレーム板金１７０とＬＣＤホルダ板金１８０の係合によってかかる強度を確保しているので、ＬＣＤパネル１６２の厚さを従来よりも薄く０．３ｍｍ程度にすることができる。
【００４４】
本実施例においては、フロントケース１４２とＬＣＤパネル１６２の間にＬＣＤフレーム板金１７０が位置する。また、図１２及び図１３に示すように、フロントケース１４２の一部とＬＣＤパネル１６２の一部（中央部１６３の表面）とＬＣＤフレーム板金１７０の一部（天板部１７１の表面）は略同一面を構成する。同一面を構成することによって、いずれかの部材が突出して外部部材と接触し、破損の原因となることを防止し、薄型化も図ることができる。なお、本出願における「同一面」とは、完全な同一面でなくても同一面から若干（コンマ数ミリ）ずれた状態も許容する趣旨である。
【００４５】
両面テープ１６６は、ＬＣＤパネル１６２の裏面（ＬＣＤモジュール１６８側の面）の周囲１６５に一面が貼り付けられ、他の面にはパッキン１６７が貼り付けられている。パッキン１６７は、ポロン（ウレタンスポンジ）、ズレン（ウレタンフォーム）などから構成される防塵部材である。パッキン１６７の両面テープ１６６と反対側の面はＬＣＤモジュール１６８に接触する。このように、本実施例はＬＣＤパネル１６２とＬＣＤモジュール１６８との間に防塵部材を設けている。これにより、携帯電話１００の防塵性を高めることができる。ＬＣＤパネル１６２とＬＣＤモジュール１６８の間にパッキン１６７を配置してもＬＣＤフレーム板金１７０とＬＣＤホルダ板金１８０との間に配置され、ＬＣＤフレーム板金１７０とＬＣＤホルダ板金１８０は共に金属性で強固に係合するのでＬＣＤパネル１６２がパッキン１６７の反力で浮き上がることを防止することができる。
【００４６】
ＬＣＤモジュール１６８は、ＬＣＤフレーム板金１７０とＬＣＤホルダ板金１６８との間に配置されたモジュールである。ＬＣＤモジュール１６８は、ＬＣＤホルダ板金１８０に係合する４つの係合部１６８ａを有する。各係合部１６８ａは、ＬＣＤホルダ板金１８０の係合溝１８３と係合する。ＬＣＤモジュール１６８は、ＬＣＤパネル１６２を保持する板状部材である。
【００４７】
ＬＣＤホルダ板金１８０はＬＣＤモジュール１６８を支持する板状部材である。ＬＣＤホルダ板金１８０は、ＬＣＤフレーム板金１７０と係合する金属製のホルダである。ＬＣＤホルダ板金１８０は、底板１８１と、底板１８１を折り曲げて形成した側壁１８２とを有する。底板１８１は、板状であるが凹凸が付けられて剛性を上げている。底板１８１と側壁１８２との境界の近傍には係合溝１８３が４箇所形成される。係合溝１８３にはＬＣＤモジュール１６８の係合部１６８ａが挿入される。また、側壁１８２には係合部１８４が形成される。係合部１８４は、側壁１８２の一部をＵ字形状に切り取って外側に傾斜することによって形成され、ＬＣＤフレーム板金１７０と係合する。係合部１８４は、図１５の左図に示すように、ＬＣＤフレーム板金１７０の係合部１７５と対応して８箇所設けられる。図１２及び図１５の右図は係合部１８４が係合部１７５と係合している状態を示している。
【００４８】
このように本実施例の携帯電話１４０は、金属製のＬＣＤフレーム板金１７０及びＬＣＤホルダ板金１８０が係合し、その間にＬＣＤパネル１６２を上下から挟み込んで固定している。このため、ＬＣＤパネル１６２の浮き上がりを防止することができる。金属製のＬＣＤフレーム板金１７０及びＬＣＤホルダ板金１８０は、樹脂よりも強度に優れ、また、樹脂成形で形成可能な最小の厚さよりも薄く形成することができるので薄型化を図ることができる。更に、フロントケース１４２に収納高さＨ又はＨＡを確保する必要がないので薄型化を図ることができる。
【００４９】
動作において、ユーザは使用時にヒンジ部１３０を利用してアーム１２０を固定部１１０に対して展開し、ディスプレイ１２２を横型で見たいと思えば可動部１４０をアーム１２０に対して回転する。この場合、曲げ応力が加わるが可動部１４０の金属製のＬＣＤフレーム板金１７０とＬＣＤホルダ板金１８０とが強固に結合しているので曲げ強度を担保している。また、ユーザは大画面のＬＣＤパネル１６２を強度を維持した状態で見ることができる。不使用時には、ユーザは図５に示す状態に携帯電話１００を折り畳むが、フロントケース１４２に収納高さＨ又はＨＡを確保する必要がないので薄型になり、優れた携帯性を発揮することができる。更に、金属製のＬＣＤフレーム板金１７０とＬＣＤホルダ板金１８０とが強固に結合しているのでパッキン１６７による反力でＬＣＤパネル１６２が浮き上がることを防止することができる。
【００５０】
以上、本発明の好ましい実施例を説明したが、本発明はこれらの実施例に限定されず、その要旨の範囲内で様々な変形及び変更が可能である。例えば、本実施例では、ディスプレイはＬＣＤを使用するが、有機エレクトロルミネッセンス（ＥＬ）を使用してもよい。
【図面の簡単な説明】
【００５１】
【図１】本発明の一実施例の携帯電話を展開した状態の正面図である。
【図２】図１に示す携帯電話の左側面図である。
【図３】図１に示す携帯電話の右側面図である。
【図４】図１に示す携帯電話の背面図である。
【図５】図４に示す携帯電話が折り畳まれた状態の平面図である。
【図６】図５に示す携帯電話のＡ側から見た側面図である。
【図７】図５に示す携帯電話のＢ側から見た側面図である。
【図８】図５に示す携帯電話の斜視図である。
【図９】図８に示す携帯電話の可動部を回転した状態の斜視図である。
【図１０】可動部の斜視図である。
【図１１】図１１の左図は可動部の分解斜視図である。図１１の右下図は、図１１の左図の丸印で示すＬＣＤユニットの部分拡大斜視図である。図１１の右上図は、図１１の左図の丸印で示すリアケースの部分拡大斜視図である。
【図１２】図１０に示す可動部の部分拡大断面図である。
【図１３】図１０に示す可動部の部分拡大断面図である。
【図１４】図１０に示す可動部のＬＣＤユニットの分解斜視図である。
【図１５】図１５の左図は、図１０に示す可動部のＬＣＤユニットの斜視図である。図１５の右図は、図１５の左図のＬＣＤユニットのＬＣＤフレーム板金の係合部の拡大斜視図である。
【図１６】図１６（ａ）及び図１６（ｂ）は従来の可動部の部分概略断面図である。
【符号の説明】
【００５２】
１００                  携帯電話（電子機器）
１１０                  固定部
１２０                  アーム
１３０                  ヒンジ部
１４０                  可動部
１４１                  筐体
１４２                  フロントケース
１４２ａ                係合部
１４２ｄ                貫通孔
１４４                  リアケース
１４４ａ２               鈎部（係合部）
１５０                  レシーバー
１６０                  ＬＣＤユニット（ユニット）
１６２                  ＬＣＤパネル（表示パネル）
１６３                  中央部
１６４                  周囲
１６７                  パッキン（防塵部材）
１６８                  ＬＣＤモジュール（モジュール）
１７０                  ＬＣＤフレーム板金（フレーム）
１７６                  取付部
１８０                  ＬＣＤホルダ板金（ホルダ）
【図１】
0005007638.tif 000002
【図２】
0005007638.tif 000003
【図３】
0005007638.tif 000004
【図４】
0005007638.tif 000005
【図５】
0005007638.tif 000006
【図６】
0005007638.tif 000007
【図７】
0005007638.tif 000008
【図８】
0005007638.tif 000009
【図９】
0005007638.tif 000010
【図１０】
0005007638.tif 000011
【図１１】
0005007638.tif 000012
【図１２】
0005007638.tif 000013
【図１３】
0005007638.tif 000014
【図１４】
0005007638.tif 000015
【図１５】
0005007638.tif 000016
【図１６】
0005007638.tif 000017